(57)【要約】【課題】浴室内の浴槽に温水を落下させる打たせ湯ノズルであって、ノズル下端の吐水口１２ａの形状が楕円形であるものにおいて、止水時に吐水口１２ａでの水の表面張力によりノズル内に水が残留することを防止できるようにする。【解決手段】吐水口１２ａの形状である楕円形の短軸方向片側のノズル側面の下端部に、吐水口１２ａに達する切り欠き１２ｂを形成する。吐水口１２ａでの水の表面張力のバランスが、切り欠き１２ｂに生ずる表面張力の影響で崩されて、止水時にノズル内に水が残留しなくなる。また、切り欠き１２ｂは、吐水口１２ａの形状である楕円形の長軸方向両側に非切り欠き部１２ｃが残るように形成される。【選択図】図５
2010115322.tif 000002
【特許請求の範囲】
【請求項１】
浴室内の浴槽に向けて温水を落下させる打たせ湯ノズルであって、ノズル下端の吐水口の形状が楕円形であるものにおいて、
この楕円形の短軸方向片側のノズル側面の下端部に、吐水口に達する切り欠きが形成されることを特徴とする打たせ湯ノズル。
【請求項２】
前記切り欠きは、前記楕円形の長軸方向両側に非切り欠き部が残るように形成されることを特徴とする請求項１記載の打たせ湯ノズル。
【発明の詳細な説明】
【技術分野】
【０００１】
本発明は、浴室内の浴槽に向けて温水を落下させる打たせ湯ノズルに関する。
【背景技術】
【０００２】
従来、浴室暖房機に、浴槽に向けて温水を落下させる打たせ湯ノズルを付設し、入浴者が浴槽内で打たせ湯を楽しむことができるようにしたものが知られている(例えば、特許文献１参照)。
【０００３】
ここで、特許文献１には打たせ湯ノズルの形状が記載されていないが、一般的には、ノズル下端の吐水口の形状を円形にしている。これに対し、本願発明者は、鋭意努力の結果、吐水口の形状を楕円形にすると、吐水口から吐出する水流が落下途中で適度な大きさの水滴に分離し、この水滴が入浴者に断続的に当たって適度なマッサージ効果が得られることを知見するに至った。
【０００４】
然し、吐水口を楕円形にすると、止水時に吐水口での水の表面張力によりノズル内に水が残り易くなることが判明した。ノズル内に残った水は、浴室暖房機の運転時の振動でノズルから垂れ落ち、ユーザに不快感を与えてしまう。
【特許文献１】特開２００３−８３５５７号公報
【発明の開示】
【発明が解決しようとする課題】
【０００５】
本発明は、以上の点に鑑み、吐水口の形状を楕円形にしたものにおける止水時の水の残留を防止できるようにした打たせ湯ノズルを提供することをその課題としている。
【課題を解決するための手段】
【０００６】
上記課題を解決するために、本発明は、浴室内の浴槽に向けて温水を落下させる打たせ湯ノズルであって、ノズル下端の吐水口の形状が楕円形であるものにおいて、この楕円形の短軸方向片側のノズル側面の下端部に、吐水口に達する切り欠きが形成されることを特徴とする。
【０００７】
本発明によれば、吐水口での水の表面張力のバランスが、吐水口の短軸方向片側の切り欠きに生ずる表面張力の影響で崩される。そのため、止水時にノズル内に水が残留することを防止できる。
【０００８】
また、本発明において、切り欠きは、吐水口の形状である楕円形の長軸方向両側に非切り欠き部が残るように形成されることが望ましい。これによれば、切り欠きを形成しても、吐水口から切り欠き側に片寄って温水が吐出することを防止できる。
【発明を実施するための最良の形態】
【０００９】
図１を参照して、ＢＲは浴室を示している。浴室ＢＲには、洗い場ＢＲａの横方向一方(右方)に位置させて浴槽ＢＴが設置されている。また、浴室ＢＲの天井部には、浴槽ＢＴの上方に位置させて浴室暖房機１が設置されている。
【００１０】
浴室暖房機１の暖房機本体２の下面には、浴室ＢＲ内に露出するカバー３が設けられている。カバー３には、図２、図３に示す如く、横方向一方の半部の略全域に亘る固定ルーバ４ａ付きの吸込み口４と、吸込み口４の横方向他方に位置する可変ルーバ５ａ付きの吹出し口５とが形成されている。
【００１１】
暖房機本体２内には、吸込み口４と吹出し口５とを連通する通風路６と、通風路６を介して浴室ＢＲの空気を循環させる循環ファン７と、通風路６に流れる空気を加熱する加熱手段たる放熱器８とが設けられている。放熱器８には、図外の給湯暖房熱源機の暖房部で加熱された熱媒体(水、不凍液等)が供給される。そして、循環ファン７の作動により吸込み口４から通風路６に吸込まれた浴室ＢＲの空気が放熱器８で加熱され、温風となって吹出し口５から浴室ＢＲ内に送風される。
【００１２】
吸込み口４の上側にはフィルタ９が装着されている。そして、カバー３の吸込み口４と吹出し口５との間の部分に、フィルタ９の側端の把手部９ａが収まる出入れ口１０を形成し、フィルタ９を出入れ口１０を通して抜き差し自在としている。
【００１３】
また、カバー３には、吹出し口５の横方向他方に隣接する部分に位置させて一対のミストノズル１１が設けられている。各ミストノズル１１は、給湯暖房熱源機の暖房部からの熱媒体を供給する図外の液々熱交換器で加熱された温水を噴霧する。噴霧された温水ミストは吹出し口５から送風される温風に乗って浴室ＢＲ内に供給される。
【００１４】
また、浴室暖房機１は、給湯暖房熱源機の給湯部からの温水を浴槽ＢＴに向けて落下させる打たせ湯ノズル１２を備えている。以下、この点について説明する。
【００１５】
本実施形態では、吸込み口４の前後方向中央部を吸込み口４の横方向一方の側縁(吹出し口５とは逆側の側縁)から吸込み口４の横方向中央部に亘って閉塞する閉塞板部４ｂを設けている。そして、この閉塞板部４ｂに横長の透孔４ｃを開設して、打たせ湯ノズル１２を透孔４ｃに臨むように配置している。尚、打たせ湯ノズル１２に干渉することなくフィルタ９を抜き差しできるように、閉塞板部４ｂ上に位置するフィルタ９の部分は切り欠かれている。
【００１６】
図４を参照して、打たせ湯ノズル１２の上端には、前後方向に屈曲するエルボ管１３がクリップ１３ａを用いて連結されている。そして、打たせ湯ノズル１２への温水の供給を制御する制御弁１４の前後方向の孔軸を持つ流出孔１４ａにエルボ管１３をクリップ１４ｂを用いて回動自在に連結している。これにより、打たせ湯ノズル１２は、流出孔１４ａの前後方向の孔軸を中心にして横方向に揺動自在となる。その結果、横長の透孔４ｃ内で打たせ湯ノズル１２が横方向に変位自在となる。
【００１７】
また、図３を参照して、閉塞板部４ｂの透孔４ｃの形成部分は、打たせ湯ノズル１２の揺動中心と同心の断面円弧状に形成されている。そして、閉塞板部４ｂの上面に当接する断面円弧状の目隠し板１５を打たせ湯ノズル１２に連結し、透孔４ｃを通して内部が見えることを防止している。尚、図４では目隠し板１５を省略している。
【００１８】
また、本実施形態の打たせ湯ノズル１２の上端部の断面形状は、図５(ｂ)に示す如く円形であるが、ノズル下端の吐水口１２ａの形状は、図５(ｃ)に示す如く横方向を短軸方向とする楕円形に形成されている。尚、打たせ湯ノズル１２の上端部の内径をＲ１、吐水口１２ａの長軸方向の径をＲ２、吐水口１２ａの短軸方向の径をＲ３として、Ｒ１及びＲ２は例えば１８ｍｍに設定され、Ｒ３は例えば５ｍｍに設定される。
【００１９】
このように吐水口１２ａを楕円形に形成すると、吐水口１２ａから吐出する水流が落下途中で適度な大きさの水滴に分離し、この水滴が入浴者に断続的に当たって適度なマッサージ効果が得られる。然し、吐水口１２ａが扁平になるため、止水時に吐水口１２ａでの水の表面張力により打たせ湯ノズル１２内に水が残留しやすくなる。
【００２０】
そこで、本実施形態では、打たせ湯ノズル１２に、前記楕円形の短軸方向片側のノズル側面の下端部に位置させて、図４及び図５(ａ)に示す如く吐水口１２ａに達する切り欠き１２ｂを形成している。これによれば、吐水口１２ａでの水の表面張力のバランスが、吐水口１２ａの短軸方向片側の切り欠き１２ｂに生ずる表面張力の影響で崩される。そのため、止水時に打たせ湯ノズル１２内に水が残留することを防止できる。
【００２１】
また、本実施形態では、吐水口１２ａの形状である楕円形の長軸方向両側に非切り欠き部１２ｃが残るように切り欠き１２ｂを形成している。これによれば、切り欠き１２ｂを形成しても、吐水口１２ａから切り欠き１２ｂ側に片寄って温水が吐出することを防止できる。
【００２２】
このことを確かめるため、吐水口１２ａの長軸方向の径Ｒ２が１８ｍｍ、短軸方向の径Ｒ３が５ｍｍの打たせ湯ノズル１２を用い、非切り欠き部１２ｃの幅Ｗと切り欠き１２ｂの高さＨとを変えて実験した。その結果、Ｗが１．５ｍｍ未満でＨが６ｍｍを超えると、切り欠き１２ｂが大きくなり過ぎて、吐水口１２ａから切り欠き１２ｂ側に片寄って温水が吐出し、温水の落下位置がずれたり、水流が水滴状にうまく分離しなくなることが分かった。また、Ｗが３ｍｍを超えＨが４ｍｍ未満になると、切り欠き１２ｂが小さくなり過ぎて、吐水口１２ａでの水の表面張力のバランスが然程崩れず、止水時に打たせ湯ノズル１２内に水が残留してしまった。従って、非切り欠き部１２ｃの幅Ｗは吐水口１２ａの長軸方向の径Ｒ２の９〜１６％、切り欠き１２ｂの高さＨは４〜６ｍｍに設定することが好ましい。
【００２３】
また、切り欠き１２ｂは、打たせ湯ノズル１２の横方向一方のノズル側面、即ち、洗い場ＢＲａ側とは反対側のノズル側面に形成することが望ましい。これによれば、入浴者から切り欠き１２ｂが見えず、体裁が良好に保たれる。
【００２４】
以上、本発明の実施形態について図面を参照して説明したが、本発明はこれに限定されない。例えば、上記実施形態の切り欠き１２ｂの形状は方形であるが、三角形や半円形の切り欠きを形成してもよい。また、上記実施形態は、浴室暖房機１に付設する打たせ湯ノズル１２に本発明を適用したものであるが、浴室暖房機とは分離独立して設ける打たせ湯ノズルにも同様に本発明を適用できる。
【図面の簡単な説明】
【００２５】
【図１】本発明の実施形態の打たせ湯ノズルを具備する浴室暖房機の設置状態を示す説明図。
【図２】図１の浴室暖房機の斜め下方から見た斜視図。
【図３】図１の浴室暖房機の切断側面図。
【図４】実施形態の打たせ湯ノズルの斜視図。
【図５】(ａ) 実施形態の打たせ湯ノズルの横方向一方から見た側面図、(ｂ)図５(ａ)のｂ−ｂ線切断面図、(ｃ)図５(ａ)のｃ−ｃ線切断面図。
【符号の説明】
【００２６】
ＢＲ…浴室、ＢＴ…浴槽、１２…打たせ湯ノズル、１２ａ…吐水口、１２ｂ…切り欠き、１２ｃ…非切り欠き部。
【図１】
2010115322.tif 000003
【図２】
2010115322.tif 000004
【図３】
2010115322.tif 000005
【図４】
2010115322.tif 000006
【図５】
2010115322.tif 000007